(57)【要約】【課題】  ＦＥロックの測光範囲を示す図形を液晶パネル上に常に表示すると、ＦＥロックを使用しないときも図形が表示されるためカメラのスルー画像の確認の妨げになってしまう。【解決手段】  ＦＥロック実行後、測光値の保持期間中のみＦＥロックの測光範囲を示す図形を表示する。【選択図】図２
2013219416.tif 000002
【特許請求の範囲】
【請求項１】
撮像手段（１０６）と、
前記撮像手段により撮像された画像を表示する表示手段（１１１）と、
前記表示手段に表示された画像に、露出決定のための測光範囲を示す図形を重畳表示する表示重畳手段（Ｓ３０３）と、
ストロボ発光制御手段（１２１）と、
ストロボ発光時の露出値を決定し前記露出値を固定するＦＥロック手段と（１０２）、
ＦＥロックを実行するＦＥロック操作手段と（１１５）、
前記ＦＥロック手段で固定した露出値の状態保持時間を計測するタイマー手段（１１２）と、
を備え
前記ＦＥロック操作手段によってＦＥロックが実行されると
前記重畳表示手段によって測光範囲を示す図形が表示され、
前記タイマー手段で露出値の状態保持時間を計測開始し
前記タイマー手段で所定時間が経過したら前記露出値の固定状態を解除し、
前記測光範囲を示す図形を消去する
ことを特徴とする撮像装置。
【請求項２】
光学ファインダーを持たないことを特徴とする請求項１に記載の撮像装置。
【請求項３】
前記ストロボ発光手段によってストロボ発光可能な場合に前記前記測光範囲を示す図形を表示することを特徴とする請求項１に記載の撮像装置。
【請求項４】
前記ＦＥロック手段で露出値を決定するまでの時間と、前記ＦＥロック手段で固定した露出値の状態保持時間とで前記測光範囲を示す図形を異なる色で表示することを特徴とする請求項１に記載の撮像装置。
【発明の詳細な説明】
【技術分野】
【０００１】
本発明は撮像装置において測光範囲を表示する方法に関する。
【背景技術】
【０００２】
カメラには測光されたシャッター値や絞り値などの露出を固定するＡＥロック（ＡＵＴＯ  ＥＸＰＯＳＵＲＥ  ＬＯＣＫ）機能がついている。また、ストロボ発光時におけるストロボ発光量を固定する機能としてＦＥロック（ＦＬＡＳＨ  ＥＸＰＯＳＵＲＥ ＬＯＣＫ）がある。通常、光学ファインダーを備えたカメラであれば測光範囲を示す図形が光学ファインダーのスクリーン上に、例えば円形で描かれており、ユーザは露出を合わせたい被写体をこの図形の位置に合わせ、露出決定するための位置の目安としている。一方、光学ファインダーを持たないカメラの場合は測光範囲を表す図形を液晶パネルのカメラ画に重畳させて表示することがある。例えば重点測光可能なカメラにおいてカメラ画像に測光範囲を示す図形を重畳させて表示することにより、ユーザに撮影画面における測光範囲の占める割合を直感的に把握できるようにする発明がなされている（特許文献１参照）。
【先行技術文献】
【特許文献】
【０００３】
【特許文献１】特開２００３−３３３３８３号公報
【発明の概要】
【発明が解決しようとする課題】
【０００４】
しかしながら参考文献１の方法であると液晶パネルに常に測光範囲を表す図形を表示することになる。一般的に液晶パネルの表示は光学ファインダーの表示に比べ目立ちやすく、常に測光範囲を表示しているとカメラのスルー画像が見えにくくなるという課題がある。
【課題を解決するための手段】
【０００５】
前記課題を解決するための撮像装置は以下に示される。
撮像手段と、
前記撮像手段により撮像された画像を表示する表示手段と、
前記表示手段に表示された画像に、露出決定のための測光範囲を示す図形を重畳表示する表示重畳手段と、
ストロボ発光手段と、
ストロボ発光時の露出値を決定し前記露出値を固定するＦＥロック手段と、
ＦＥロックを実行するＦＥロック操作手段と、
前記ＦＥロック手段で固定した露出値の状態保持時間を計測するタイマー手段と、
を備え
前記ＦＥロック操作手段によってＦＥロックが実行されると
前記重畳表示手段によって測光範囲を示す図形が表示され、
前記タイマー手段で露出値の状態保持時間を計測開始し
前記タイマー手段で所定時間が経過したら前記露出値の固定状態を解除し、
前記測光範囲を示す図形を消去する
ことを特徴とする撮像装置。
【発明の効果】
【０００６】
以上説明したように本発明によれば、ＦＥロックの測光範囲を表す図形を必要なときのみ液晶パネル上に表示することによってカメラのスルー画像が見えにくくなる課題を解決することができる。
【図面の簡単な説明】
【０００７】
【図１】本実施例を実現するためのシステム図である。
【図２】ＦＥロック測光範囲表示の画面例である。
【図３】ＦＥロック測光範囲表示処理の流れを示すフロー図である。
【発明を実施するための形態】
【０００８】
図１は、本実施形態によるデジタルカメラ１００の構成例を示すブロック図である。
【０００９】
図１において、撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子である。Ａ／Ｄ変換器１０７は、アナログ信号をデジタル信号に変換する。Ａ／Ｄ変換器１０７は、撮像部１０６から出力されるアナログ信号をデジタル信号に変換するために用いられる。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１０】
画像処理部１０２は、Ａ／Ｄ変換器１０７からのデータ、又は、メモリ制御部１０８からのデータに対し所定の画素補間、縮小といったリサイズ処理や色変換処理を行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理、ＦＥＬ（フラッシュ発光時の露出値確定および固定）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１１】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１２】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、スルー画像表示を行える。
【００１３】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。
【００１４】
システム制御部１０１は、デジタルカメラ１００全体を制御する。前述した不揮発性メモリ１４に記録されたプログラムを実行することで、後述する本実施形態の各処理を実現する。１１３はシステムメモリであり、ＲＡＭが用いられる。システムメモリ１１３には、システム制御部１０１の動作用の定数、変数、不揮発性メモリ１１４から読み出したプログラム等を展開する。また、システム制御部はメモリ１０１、Ｄ／Ａ変換器１１０、表示部１１１等を制御することにより表示制御も行う。
【００１５】
システムタイマー１１２は各種制御に用いる時間や、内蔵された時計の時間を計測する計時部である。
【００１６】
モード切替スイッチ１１７、第１シャッタースイッチ１０６ａ、第２シャッタースイッチ１０６ｂ、操作部１１５はシステム制御部１０１に各種の動作指示を入力するための操作手段である。
【００１７】
モード切り替えスイッチ１１７は、システム制御部１０１の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ１１７で、静止画撮影モードに含まれるこれらのモードのいずれかに直接切り替えられる。あるいは、モード切り替えスイッチ１１７で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ１１６ａは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００１８】
第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。
【００１９】
操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１１に表示される。利用者は、表示部１１１に表示されたメニュー画面と、上下左右の４方向ボタンやＳＥＴボタンとを用いて直感的に各種設定を行うことができる。
【００２０】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１１２を含む各部へ供給する。
【００２１】
電源部１２０は、アルカリ電池やリチウム電池等の一次電池やＮｉＣｄ電池やＮｉＭＨ電池、Ｌｉ電池等の二次電池、ＡＣアダプター等からなる。ストロボ制御部１２１はシステム制御部１０１で演算されたストロボの発光量を制御する。ストロボは内蔵であっても外付けであってもよい。記録媒体Ｉ／Ｆ１２２は、メモリカードやハードディスク等の記録媒体１２３とのインターフェースである。記録媒体１２３は、撮影された画像を記録するためのメモリカード等の記録媒体であり、半導体メモリや磁気ディスク等から構成される。
【００２２】
次にＦＥロックの測光範囲を表す図形を表示するシステム制御部１０１の処理の流れを図２のＦＥロック測光範囲の画面表示例と図３のＦＥロック測光範囲をカメラ画に重畳表示する処理の流れを示すフロー図を用いて説明する。
【００２３】
定常状態では図２−ａに示すようカメラのスルー画像が表示部１１１に表示されている。操作部１１５に含まれるＦＥロックボタンを押されたことを判定し（Ｓ３０１）、ボタンが押されていなければＦＥロックボタンが押されるまでＦＥロックボタンが押されるのを待つ。またＦＥロックボタンが押された場合はストロボの充電状態を確認し（Ｓ３０２）、充電が終わっていなければＦＥロックボタンの押下げ待ちを、充電が完了しておりストロボを発光可能な状態の場合は測光範囲を表す図形を表示させる（Ｓ３０３）。このとき、図２−ｂに示すように画面中央にカメラ画に重畳された円が表示される。測光中の円は例えば赤い色で表示される。画像処理部１０２で実行されるＦＥロックの測光処理は表示処理と別のタスクで実行されており説明の詳細は省略する。ストロボ測光中の表示は前述の測光処理が終了するまで継続し、ストロボ測光処理が終了した場合は（Ｓ３０４）、シャッター値、絞り値など測光結果の表示に必要な各測光値を取得し（Ｓ３０５）、表示部に表示する（Ｓ３０６）。また、測光範囲を示す円を測光値保持状態の色を測光中とは異なる色、例えばグレーで表示する（Ｓ３０７）。ここで、システムタイマー１１２を用いて測光値固定状態を保持させるためのタイマーをスタートさせる（Ｓ３０８）。このとき、表示部の画面は図２−ｃで示すようになっており、画面下に測光されたシャッター値と絞り値を表示し、さらにストロボ発光可能なことを示すアイコンとストロボ撮影のための露出が固定されたことを示すアイコンを表示する。
【００２４】
測光値を保持している間もＦＥロックボタンの押下げを判定することができ（Ｓ３０９）、この時ＦＥロックボタンが押されたら再度ストロボ測光処理を行う。ＦＥロックボタンの押下げが所定時間のうちに無い場合はタイマーが終了し（Ｓ３１０）、カメラ画に重畳表示していた測光範囲円を消去する（Ｓ３１１）。また同時に測光値表示を消去し（Ｓ３１２）、測光値保持状態を終了する。
【００２５】
以上、本実施例で述べてきたように、ＦＥロックの測光中に表示される測光範囲を示す図形の色を変更することによってユーザに測光中の状態を示すことができる。また、測光値固定状態のときにだけ測光範囲を示す図形を表示することによって、図形が常にスルー画像上に表示される煩わしさを無くすことができる。
【符号の説明】
【００２６】
１０４  撮影レンズ
１０５  シャッター
１０６  撮像部
１０７  Ａ／Ｄ変換器
【図１】
2013219416.tif 000003
【図２】
2013219416.tif 000004
【図３】
2013219416.tif 000005